(57)【要約】【課題】  ヘアーケア装置側に付着する水分量を減らし、より水分が豊富なマイナスイオンを髪に供給して、マイナスイオンと豊富な水分量のミストによる相互作用でよりしっとりとした髪の仕上がりを得ることができる。ヘアーケア装置側に多量に水分が付着して水滴となって滴下するのを防ぎ、快適にヘアーケア操作ができる。【解決手段】  髪をケアーするためのヘアーケア装置１である。マイナスイオンを発生するためのマイナスイオン発生装置２と、ミストを発生するためのミスト発生装置３とを備える。【選択図】図１
2008054984.tif 000002
【特許請求の範囲】
【請求項１】
髪をケアーするためのヘアーケア装置であって、マイナスイオンを発生するためのマイナスイオン発生装置と、ミストを発生するためのミスト発生装置とを備えて成ることを特徴とするヘアーケア装置。
【請求項２】
一端が外部にマイナスイオンとミストとを吐出するための吐出口となった流路を形成し、該流路内にマイナスイオン発生装置におけるイオン発生部を設けると共に該流路のイオン発生部よりも上流でミスト発生装置によりミストを発生させて成ることを特徴とする請求項１記載のヘアーケア装置。
【請求項３】
一端が外部にマイナスイオンとミストとを吐出するための吐出口となった流路を形成し、該流路内にマイナスイオン発生装置におけるイオン発生部を設けると共に該流路のイオン発生部よりも下流にミスト発生装置で発生させたミストを供給して成ることを特徴とする請求項１記載のヘアーケア装置。
【請求項４】
ヘアーケア装置がファンにより風を発生させて噴出口から吹き出すヘアードライヤであって、該ヘアードライヤに一端がファンで発生させた風の一部が流入する入口となり且つ他端が吐出口となった流路を設け、該流路にマイナスイオン及びミストを供給して成ることを特徴とする請求項１乃至請求項３のいずれか一項に記載のヘアーケア装置。
【請求項５】
ヘアーケア装置が、加熱板を有するヘアーアイロン本体と、ヘアーアイロン本体に回動自在に取付けた加熱板を有する挟持板とを備えてヘアーアイロン本体の加熱板と挟持板の加熱板とで髪を加熱挟持するように構成したヘアーアイロンであって、ヘアーアイロン本体の側面に外部にマイナスイオンとミストとを吐出するための吐出口を設け、吐出口から吐出するマイナスイオン、ミストの吐出方向を、ヘアーアイロン本体の側方位置において、該ヘアーアイロン本体の加熱板のヘアーアイロン本体の側方への仮想延長面と交差するように設定して成ることを特徴とする請求項１乃至請求項３のいずれか一項に記載のヘアーケア装置。 
【発明の詳細な説明】
【技術分野】
【０００１】
本発明は、ヘアー（髪）をケアーするためのヘアーケア装置に関するものである。
【背景技術】
【０００２】
従来からスチームをイオン化したイオン化スチーム粒子をスチーム噴出孔から噴出して髪をケアーするようにしたスチームヘアーカール器が特許文献１により知られている。
【０００３】
この特許文献１に示された従来例は、スチーム発生室内にスチームをイオン化するための放電部を備え、発生したスチームをイオン化してスチーム吐出孔から噴出するものであるから、発生したスチームが殆どイオン化スチーム粒子となり、スチーム噴出口側に向かって流れてスチーム噴出口から噴出される。このため、イオン化スチーム粒子がイオンの付着力によりスチーム噴出口までの間の流路壁に付着し易く、また、スチーム噴出口から出た後でスチームヘアーカール器のハウジングの外面部あるいはブリッスル等に付着し易い。このため、目的とする髪に到達するまでの間にスチームヘアーカール器に付着する水分量が多く、その分、毛髪に到達する水分量が少なくなるという問題がある。また、上記のように髪に到達するまでの間にスチームヘアーカール器に付着する水分量が多いため、多量に付着した水分が滴となって零れ落ち、スチームヘアーカール器を持つ手やその他のものを濡らしたり、あるいは、髪に局部的に水滴が滴下して、快適なヘアーケア操作の支障となるという問題がある。
【特許文献１】特開平８−３１７８１４号公報
【発明の開示】
【発明が解決しようとする課題】
【０００４】
本発明は上記の従来の問題点に鑑みて発明したものであって、ヘアーケア装置側に付着する水分量を減らし、より水分が豊富なマイナスイオンを髪に供給して、マイナスイオンと豊富な水分量のミストによる相互作用でよりしっとりとした髪の仕上がりを得ることができ、また、ヘアーケア装置側に多量に水分が付着して水滴となって滴下するのを防ぎ、快適にヘアーケア操作ができるヘアーケア装置を提供することを課題とするものである。
【課題を解決するための手段】
【０００５】
上記課題を解決するために本発明に係るヘアーケア装置は、髪をケアーするためのヘアーケア装置１であって、マイナスイオンを発生するためのマイナスイオン発生装置２と、ミストを発生するためのミスト発生装置３とを備えて成ることを特徴とするものである。
【０００６】
このような構成とすることで、マイナスイオン発生装置２で発生させたマイナスイオンと、ミスト発生装置３で発生させたミストとを吐出してマイナスイオンによる髪をしっとりさせる効果と、ミストによる水分の供給による髪をしっとりさせる効果との相互作用によりよりしっとりとした髪の仕上がりを得ることができる。この場合、ミスト発生装置３で発生したミストの一部にマイナスイオン付着して髪に至るが、ミスト発生装置３で発生させたミストのうちマイナスイオンが付着しないものもあり、したがって、ミストの殆どがイオン化するものに比べ、髪に到達するまでの間にヘアーケア装置１に付着する水分量が少なくて、毛髪に到達する水分量が少なくなり、十分な水分量を髪に供給することが可能となり、また、ヘアーケア装置１に付着するミストが少なく、多量にヘアーケア装置１に付着した水分が滴となって零れ落ちるというような現象を防止することが可能となる。
【０００７】
また、一端が外部にマイナスイオンとミストとを吐出するための吐出口４となった流路６を形成し、該流路６内にマイナスイオン発生装置２におけるイオン発生部５を設けると共に該流路６のイオン発生部５よりも上流でミスト発生装置３によりミストを発生させることが好ましい。
【０００８】
このような構成とすることで、イオン発生部５で発生させたマイナスイオンは、ミスト発生装置３で発生させたミストが流路６を通って吐出口４から吐出する流れに乗って吐出することになり、発生したマイナスイオンが流路６を経て吐出口４から吐出するまでの間に流路６の内壁に直接付着するのを抑制し、多量のマイナスイオンをミストと共に吐出口４から吐出させて髪をケアーすることができる。
【０００９】
このような構成とすることで、ミストに影響されず確実且つ安定してマイナスイオンを発生させ、吐出口４からミストとマイナスイオンとを吐出して髪をケアーすることができる。
【００１０】
また、ヘアーケア装置１がファン７により風を発生させて噴出口８から吹き出すヘアードライヤ１Ａであって、該ヘアードライヤ１Ａに一端がファン７で発生させた風の一部が流入する入口９となり且つ他端が吐出口４となった流路６を設け、該流路６にマイナスイオン及びミストを供給することが好ましい。
【００１１】
このような構成とすることで、ヘアードライヤ１Ａで発生させた風の一部を利用してマイナスイオン発生装置２で発生させたマイナスイオンとミスト発生装置３で発生させたミストとを吐出口４から効果的に吐出してマイナスイオンとミストとを髪に効果的に到達させることができる。
【００１２】
また、ヘアーケア装置１が、加熱板１０ａを有するヘアーアイロン本体１１と、ヘアーアイロン本体１１に回動自在に取付けた加熱板１０ｂを有する挟持板１２とを備えてヘアーアイロン本体１１の加熱板１０ａと挟持板１２の加熱板１０ｂとで髪を加熱挟持するように構成したヘアーアイロン１Ｂであって、ヘアーアイロン本体１１の側面に外部にマイナスイオンとミストとを吐出するための吐出口４を設け、吐出口４から吐出するマイナスイオン、ミストの吐出方向を、ヘアーアイロン本体１１の側方位置において、該ヘアーアイロン本体１１の加熱板１０ａのヘアーアイロン本体１１の側方への仮想延長面と交差するように設定することが好ましい。
【００１３】
このような構成とすることで、ヘアーアイロン本体１１の加熱板１０ａと挟持板１２の加熱板１０ｂとで髪を挟持して加熱するに当り、髪の、挟持して加熱されている箇所の側方にずれた部位にマイナスイオンとミストとを吐出することができ、これにより、両加熱板１０ａ、１０ｂにより髪を加熱挟持しながらヘアーアイロン１Ｂを移動して髪のストレート癖付けをするに当って、マイナスイオンとミストとを髪を挟持した状態のヘアーアイロン１Ｂの移動方向の前側方に吐出する場合は、髪の加熱挟持する前の部位にマイナスイオンとミストとを吐出してしっとりと湿らせることができ、このようにしっとりと湿らせた髪を加熱挟持することで髪のストレート癖付けが確実にできることになり、また、マイナスイオンとミストとを髪を挟持した状態のヘアーアイロン１Ｂの移動方向の後側方に吐出する場合は、髪の加熱挟持によってストレート癖付けがなされた部位にマイナスイオンとミストとを吐出してしっとりと湿らせることができ、よりしっとりとした髪の仕上がりを得ることができる。
【発明の効果】
【００１４】
本発明は、ヘアーケア装置に設けたマイナスイオン発生装置と、ミスト発生装置とによりマイナスイオンとミストとをそれぞれ発生させて髪に供給することで、マイナスイオンによる髪をしっとりとさせる効果と、髪へのミストによる水分の供給による髪をしっとりさせる効果との相互作用でよりしっとりとした髪の仕上がりを得ることができる。しかも、マイナスイオン発生装置でマイナスイオンを発生させると共に、ミスト発生装置でミストを発生させ、マイナスイオンとミストとを髪に供給するのであるが、ミスト発生装置で発生させたミストのうちマイナスイオンが付着しないものもあり、髪に到達するまでの間にヘアーケア装置に付着する水分量が少なくて、毛髪に到達する水分量が少なくなり、十分な水分量を髪に供給することが可能となり、また、ヘアーケア装置に付着するミストが少なく、ヘアーケア装置に付着した水分が滴となって零れ落ちるというような現象が生じないようにできて、快適なヘアーケア操作ができる。
【発明を実施するための最良の形態】
【００１５】
以下、本発明を添付図面に示す実施形態に基いて説明する。
【００１６】
図１、図２にはそれぞれ本発明のヘアーケア装置１がヘアードライヤ１Ａである例が示してある。
【００１７】
ヘアードライヤ１Ａは、筒状をした風洞部１３と風洞部１３の後部の外周部の一部からグリップ部２８を突出して主体を構成してある。
【００１８】
風洞部１３は内部が筒状をした空気通路１４となって該空気通路１４の前端が噴出口８、後端が空気吸入口１５となっており、風洞部１３内に後から前にかけて順にファン７、ファン７を回転駆動するためのモータ１６、ヒータ１７が設けてある。
【００１９】
風洞部１３のグリップ部２８を突出した側を下面側と定義した場合、風洞部１３の上面側には第２風洞部１８が設けてあり、該第２風洞部１８内がファン７で発生させた風の一部が流れる流路６となっており、この流路６の後端が空気通路１４の途中に連通していて該連通部分がファン７で発生させた風の一部が連通する入口９となっており、流路６の前端が吐出口４となっている。
【００２０】
上記ヘアードライヤ１Ａに設けたファン７で発生させた風の一部が流れる流路６内には、マイナスイオンを発生するためのマイナスイオン発生装置２におけるイオン発生部５と、ミストを発生するためのミスト発生装置３とを設けてある。
【００２１】
図１に示す実施形態では、上記流路６の上流側、つまり、流路６の入口９付近にミスト発生装置３を設け、流路６内のミスト発生装置３よりも下流側にマイナスイオン発生装置２におけるイオン発生部５を設けてある。
【００２２】
また、図２に示す実施形態では、流路６内にミスト発生装置３とマイナスイオン発生装置２におけるイオン発生部５を設け、イオン発生部５を流路６内の下流側に配置すると共に、ミスト発生装置３で発生させたミストを供給するミスト供給管１９の先端のミスト出口２０を流路６内のイオン発生部５よりも下流側（イオン発生部５と吐出口４との間）に開口させてある。
【００２３】
マイナスイオン発生装置２は放電極２１と対向電極２２とを備えたイオン発生部５と、放電極２１と対向電極２２との間に高電圧を印加するための高圧回路部２３とで構成してあり、放電極２１と対向電極２２との間に高電圧を印加するとコロナ放電してマイナスイオンが発生するようになっている。
【００２４】
ミスト発生装置３としては、スプレー噴霧により水のような液体を噴霧してミストを発生させるもの（液体をノズルから噴射するに当ってノズルに圧力をかけてミストとして噴霧するもの）、あるいは、超音波ホーンに水のような液体を供給して超音波ホーンによりミストを発生させるもの、あるいは、ヒータに水のような液体を供給することでミスト（スチームミスト）を発生させるもの、あるいは、流路６内に水のような液体を保湿した保湿材を配置して流路６を流れる空気が保湿材に当ることでミストが発生するもの等種々のものが採用できる。
【００２５】
上記の構成のヘアーケア装置１であるヘアードライヤ１Ａは、操作スイッチ２４を操作することで、ファン７のオン、オフ、ヒータ１７のオン、オフを行って、風洞部１３の前端の噴出口８から温風や冷風を吹き出すことができるようになっており、同時に、上記操作スイッチ２４の操作によりマイナスイオン発生装置２のオン、オフ、ミスト発生装置３のオン、オフを行うことができるようになっていて、マイナスイオン発生装置２のイオン発生部５でマイナスイオンを発生させると共に、ミスト発生装置３でミストを発生させるようになっている。この場合、ファン７で発生させた風の一部が入口９から流路６に流入し、該流路６内を流れる空気流れに乗せて上記マイナスイオン、ミストを吐出口４から効果的に吐出してマイナスイオンとミストとを髪に効果的に吹き付け、マイナスイオンによって髪にしっとり感を与えると共に、ミストにより髪に水分を供給するものであり、これにより、マイナスイオンとミストの相互作用（より水分が豊富なマイナスイオン）によりしっとりした髪の仕上がりを得ることができる。
【００２６】
ここで、図１の実施形態のように、流路６内のミスト発生装置３よりも下流側にマイナスイオン発生装置２におけるイオン発生部５を設けた場合、イオン発生部５で発生させたマイナスイオンは、ミスト発生装置３で発生させたミストが流路６を通って吐出口４から吐出する流れに乗って吐出すると共にミストの一部に付着して吐出することになり、発生したマイナスイオンが流路６を経て吐出口４から吐出するまでの間に流路６の内壁に直接付着するのを抑制し、多量のマイナスイオンをミストと共に吐出口４から吐出させて髪をケアーすることができるものである。
【００２７】
また、図２の実施形態のように、ミスト発生装置３で発生させたミストを供給するミスト供給管１９の先端のミスト出口２０を流路６内のイオン発生部５よりも下流側に開口させてミストを供給するようにした場合、ミストに影響されず確実且つ安定してマイナスイオンを発生させ、吐出口４からミストとマイナスイオンとを吐出して髪をケアーすることができるものである。
【００２８】
次に、図３乃至図５、図６にはそれぞれ本発明のヘアーケア装置１がヘアーアイロン１Ｂである例が示してある。
【００２９】
ヘアーアイロン１Ｂは、図３、図４に示すように、ヘアーアイロン本体１１の後端部に挟持板１２の後端部を軸部２５により回動自在に取付けて構成してある。図中２６はヘアーアイロン本体１１の側部に設けた操作スイッチである。
【００３０】
ヘアーアイロン本体１１の前部と挟持板１２の前部との各対向面にはそれぞれ略平板状をした加熱板１０ａ、１０ｂが設けてあり、加熱板１０ａ、１０ｂはそれぞれヒータ（図示せず）により加熱されるようになっている。
【００３１】
ヘアーアイロン本体１１の前後方向の略中間部の左右両側面部にはそれぞれ側方に突出した突出部２７が設けてあり、突出部２７内は流路６となっており、該流路６の前端部が突出部２７の前端面に開口して吐出口４となっている。ここで、ヘアーアイロン本体１１の加熱板１０ａを設けた面を下面、ヘアーアイロン本体１１の加熱板１０ａを設けた面と反対側を上面と定義し（つまり、ヘアーアイロン本体１１の加熱板１０ａ側が下、加熱板１０ａを設けた面と反対側が上と定義し）、また、ヘアーアイロン本体１１の軸部２５を設けた端部側を後、軸部２５と反対側の端部を前と定義し、ヘアーアイロン本体１１の両側面側をそれぞれ左右と定義した場合、上記吐出口４の位置は、加熱板１０ａの後端近くの位置で、且つ、加熱板１０ａよりも上にずれた位置に位置し、しかも左右の吐出口４はそれぞれ加熱板１０ａの左右側端よりも左側方及び右側方にそれぞれずれている。
【００３２】
上記流路６内には、マイナスイオンを発生するためのマイナスイオン発生装置２におけるイオン発生部５と、ミストを発生するためのミスト発生装置３とを設けてあって、吐出口４からマイナスイオンとミストとを吐出するようになっている。
【００３３】
ここで、吐出口４から吐出するマイナスイオン、ミストの吐出方向が、ヘアーアイロン本体１１の側方位置において、該ヘアーアイロン本体１１の加熱板１０ａのヘアーアイロン本体１１の側方への仮想延長面と交差するように設定してあり、このため、吐出口４の向き（軸方向）は斜め前下側方を向いている。つまり、ヘアーアイロン本体１１の両側面部に設けた突出部２７の吐出口４からの吐出方向は、それぞれ前に行くほどヘアーアイロン本体１１から離れ且つ前に行くほど下となるように斜め前下側方となるように設定してあり、これにより両加熱板１０ａ、１０ｂで髪を挟持した場合、ヘアーアイロン本体１１の両側方に位置する髪の挟持部位の両側の挟持されていない部分にマイナスイオンとミストとが当って（つまり交差して）、マイナスイオンとミストとを髪の挟持されていない部位に供給するようになっている。
【００３４】
図５に示す実施形態では、上記流路６の上流側、つまり、流路６の入口９付近にミスト発生装置３を設け、流路６内のミスト発生装置３よりも下流側にマイナスイオン発生装置２におけるイオン発生部５を設けてある。
【００３５】
また、図６に示す実施形態では、流路６内にミスト発生装置３とマイナスイオン発生装置２におけるイオン発生部５を設け、イオン発生部５を流路６内の下流側に配置すると共に、ミスト発生装置３で発生させたミストを供給するミスト供給管１９の先端のミスト出口２０を流路６内のイオン発生部５よりも下流側（イオン発生部５と吐出口４との間）に開口させてある。
【００３６】
マイナスイオン発生装置２は放電極２１と対向電極２２とを備えたイオン発生部５と、放電極２１と対向電極２２との間に高電圧を印加するための高圧回路部２３とで構成してあり、放電極２１と対向電極２２との間に高電圧を印加するとコロナ放電してマイナスイオンが発生するようになっている。高圧回路部２３はヘアーアイロン本体１１の後部内に内装してある。
【００３７】
ミスト発生装置３としては、前述のヘアードライヤ１Ａの説明の際に述べたのと同じ種々の形態のものが採用できる。
【００３８】
上記の構成のヘアーケア装置１であるヘアーアイロン１Ｂは、操作スイッチ２６を操作することで、加熱板１０ａ、１０ｂのヒータのオン、オフを行うことができるようになっており、両加熱板１０ａ、１０ｂにより髪を加熱挟持することでいわゆるストレートパーマを行うのであるが、同時に、上記操作スイッチ２６の操作によりマイナスイオン発生装置２のオン、オフ、ミスト発生装置３のオン、オフを行うことができるようになっていて、マイナスイオン発生装置２のイオン発生部５でマイナスイオンを発生させると共に、ミスト発生装置３でミストを発生させるようになっている。
【００３９】
発生したマイナスイオンとミストとは吐出口４から吐出される。左右両側の吐出口４から吐出したマイナスイオンとミストとはヘアーアイロン本体１１の斜め前下側方に向けて流れ、ヘアーアイロン本体１１の両側方に位置する髪の挟持部位の両側の挟持されていない部分にマイナスイオンとミストとが当り、マイナスイオンとミストとを髪の挟持されていない部位に供給される。
【００４０】
ヘアーアイロン１Ｂで髪のストレートパーマを行うに当っては、ヘアーアイロン１Ｂで髪の一部を加熱挟持しながら髪の根元側から先端側に向けて移動することで、髪のストレート癖付けを行うのであるが、この時、本実施形態においては、ヘアーアイロン１Ｂの両加熱板１０ａ、１０ｂによる髪の挟持部位の両側方の挟持されていない部分にそれぞれマイナスイオンとミストとが供給されることになる。
【００４１】
したがって、マイナスイオンとミストとを髪を挟持した状態のヘアーアイロン１Ｂの移動方向の前側方に吐出されたマイナスイオンとミストは、加熱挟持する前の髪の部位に吐出されることになって加熱挟持する直前の髪の部位をしっとりと湿らせることができ、ヘアーアイロン１Ｂを移動させると上記のように事前にしっとりと湿らせた髪を加熱挟持することとなるので、加熱挟持による髪のストレート癖付けが確実にできることになる。
【００４２】
また、髪を挟持した状態のヘアーアイロン１Ｂの移動方向の後側方に吐出されたマイナスイオンとミストは、髪の加熱挟持によってストレート癖付けがなされた加熱直後の部位に供給されることになり、加熱挟持によりストレートパーマされた直後の髪の部位をしっとりと湿らせることができ、よりしっとりとした髪の仕上がりを得ることができることになる。
【００４３】
ここで、図５の実施形態のように、流路６内のミスト発生装置３よりも下流側にマイナスイオン発生装置２におけるイオン発生部５を設けた場合、イオン発生部５で発生させたマイナスイオンは、ミスト発生装置３で発生させたミストが流路６を通って吐出口４から吐出する流れに乗って吐出すると共にミストの一部に付着して吐出することになり、発生したマイナスイオンが流路６を経て吐出口４から吐出するまでの間に流路６の内壁に直接付着するのを抑制し、多量のマイナスイオンをミストと共に吐出口４から吐出させて髪をケアーすることができるものである。
【００４４】
また、図６の実施形態のように、ミスト発生装置３で発生させたミストを供給するミスト供給管１９の先端のミスト出口２０を流路６内のイオン発生部５よりも下流側に開口させてミストを供給するようにした場合、ミストに影響されず確実且つ安定してマイナスイオンを発生させ、吐出口４からミストとマイナスイオンとを吐出して髪をケアーすることができるものである。また、この場合は、マイナスイオンはコロナ放電により生じる電気力線に沿って移動するので、放電極２１の斜め前下側方に対向電極２２を配置することにより、移動方向に指向性を持たせることができて吐出口４側に移動し、下流側のミスト出口２０から出たミストが吐出口４から吐出する流れに乗って吐出口４から吐出する。
【００４５】
なお、上記した各実施形態においてはヘアーケア装置１としてヘアードライヤ１Ａ、ヘアーアイロン１Ｂの例を示したが、本発明のヘアーケア装置１としては上記例にのみに限定されるものではなく、ヘアーカールやヘアーウエーブをするものであってもよい。
【図面の簡単な説明】
【００４６】
【図１】本発明のヘアーケア装置がヘアードライヤの場合の一実施形態を示す断面図である。
【図２】同上のヘアーケア装置がヘアードライヤの場合の他の実施形態を示す断面図である。
【図３】同上のヘアーケア装置がヘアーアイロンの場合の実施形態を示す側面図である。
【図４】同上の斜視図である。
【図５】同上の図３のＸ−Ｘ線の断面図である。
【図６】本発明の他の実施形態における図３のＸ−Ｘ線の断面図である。
【符号の説明】
【００４７】
１  ヘアーケア装置
１Ａ  ヘアードライヤ
１Ｂ  ヘアーアイロン
２  マイナスイオン発生装置
３  ミスト発生装置
４  吐出口
５  イオン発生部
６  流路
７  ファン
８  噴出口
９  入口
１０  加熱板
１１  ヘアーアイロン本体
１２  挟持板 
【図１】
2008054984.tif 000003
【図２】
2008054984.tif 000004
【図３】
2008054984.tif 000005
【図４】
2008054984.tif 000006
【図５】
2008054984.tif 000007
【図６】
2008054984.tif 000008